(57)【要約】【課題】発光模様を通じて製品及び製造社に対する顧客の認知度を高めながらも、製品外観の視覚性を高めて顧客の製品購買吸引力を向上させられるディスプレイ装置用光学フィルタを提供する。【解決手段】映像をディスプレイするディスプレイパネルの片側に具備されるディスプレイ装置用光学フィルタであって、第１領域に形成されて第１遮光率を有する第１層を含み、該第１領域とそれ以外の領域を透過する光量の差で、前記第１領域を暗画としてまたそれ以外の領域を明画として特定模様を現わすことを特徴とするディスプレイ装置用光学フィルタを提供する。前記ディスプレイ装置用光学フィルタは、第２領域に形成されて前記第１遮光率より低い第２遮光率を有する第２層３２０を含み、前記第１領域と第２領域とを透過する光量の差で、前記第１領域が暗画としてまたは前記第２領域が明画として特定模様を現わすことが好ましい。【選択図】図３
2009193071.tif 000002
【特許請求の範囲】
【請求項１】
映像をディスプレイするディスプレイパネルの一側に具備されるディスプレイ装置用光学フィルタであって、第１領域に形成されて第１遮光率を有する第１層を含み、該第１領域とそれ以外の領域を透過する光量差で、前記第１領域を暗画としてまたはそれ以外の領域を明画として特定模様を現わすことを特徴とする、ディスプレイ装置用光学フィルタ。
【請求項２】
第２領域に形成されて前記第１遮光率より低い第２遮光率を有する第２層を含み、前記第１領域と第２領域とを透過する光量差で、前記第１領域を暗画としてまたは前記第２領域を明画として特定模様を現わすことを特徴とする、請求項１に記載のディスプレイ装置用光学フィルタ。
【請求項３】
前記第２層が、前記第２遮光率を有する物質が印刷されたコーティング層や、前記第２遮光率を有する物質を含むフィルムであることを特徴とする、請求項２に記載のディスプレイ装置用光学フィルタ。
【請求項４】
前記第１層及び第２層が、前記第１層及び前記第２層の順序でまたはその逆順で層を形成したり、または同じレベルで形成されることを特徴とする、請求項２に記載のディスプレイ装置用光学フィルタ。
【請求項５】
前記第１層が、前記第１領域にのみ形成されることを特徴とする、請求項２に記載のディスプレイ装置用光学フィルタ。
【請求項６】
前記第２層が、前記第２領域とともに前記第１領域にも形成されることを特徴とする、請求項２に記載のディスプレイ装置用光学フィルタ。
【請求項７】
前記第１層及び第２層が、前記ディスプレイ装置用光学フィルタの端に形成されることを特徴とする、請求項２に記載のディスプレイ装置用光学フィルタ。
【請求項８】
前記第２遮光率が、70〜99％であることを特徴とする、請求項２に記載のディスプレイ装置用光学フィルタ。
【請求項９】
第１層及び第２層の中で少なくとも一方が、色相を有することを特徴とする、請求項２に記載のディスプレイ装置用光学フィルタ。
【請求項１０】
前記第１領域及び前記第２領域に形成される第２層を含み、前記第１層と第２層とが層を成して形成された前記第１領域と、前記第２層が形成された前記第２領域を透過する光量差で、前記第１領域を暗画としてまたは前記第２領域を明画として特定模様を現わすことを特徴とする、請求項２に記載のディスプレイ装置用光学フィルタ。
【請求項１１】
各々、第２領域乃至第ｎ領域に形成されて、前記第１遮光率より低い第２遮光率乃至第ｎ遮光率を有する第２層乃至第ｎ層を含み構成され、前記第１領域乃至前記第ｎ領域を透過する光量差で特定模様を現わして、ｎ≧２であることを特徴とする、請求項１に記載のディスプレイ装置用光学フィルタ。
【請求項１２】
前記第１層が、ブラックセラミック物質がコーティングされたコーティング層や、ブラックセラミック物質を含むフィルムであることを特徴とする、請求項１に記載のディスプレイ装置用光学フィルタ。
【請求項１３】
ベース基板、導電膜層及び導電性メッシュ層及び反射防止層の中で一つ以上を含むことを特徴とする、請求項１に記載のディスプレイ装置用光学フィルタ。
【請求項１４】
ＰＤＰ用光学フィルタまたはＬＣＤ用光学フィルタであることを特徴とする、請求項１に記載のディスプレイ装置用光学フィルタ。
【請求項１５】
映像をディスプレイするディスプレイパネルと、請求項１乃至請求項１４のいずれか一項のディスプレイ装置用光学フィルタとを含むことを特徴とするディスプレイ装置。
【発明の詳細な説明】
【技術分野】
【０００１】
本発明は、ディスプレイ装置用光学フィルタ及びそれを具備するディスプレイ装置に関するもので、より詳細には、ディスプレイ装置の生産単価及び生産時間の節減と薄型化を可能にする、ディスプレイ装置用光学フィルタ及びそれを具備するディスプレイ装置に関するものである。
【背景技術】
【０００２】
表示装置は、テレビ、ＰＣ（ノートブックコンピュータ）のモニタ、ポータブル表示装置などを総称した言葉であり、画面が大面積化及び薄型化される傾向にある。
【０００３】
そのため、表示装置を代表していた陰極線管（Ｃａｔｈｏｄｅ  Ｒａｙ  Ｔｕｂｅ：ＣＲＴ）装置が、次第に液晶表示装置（Ｌｉｑｕｉｄ  Ｃｒｙｓｔａｌ  Ｄｉｓｐｌａｙ：ＬＣＤ）、プラズマディスプレイパネル（Ｐｌａｓｍａ  Ｄｉｓｐｌａｙ  Ｐａｎｅｌ：ＰＤＰ）装置、電界放出表示装置（Ｆｉｅｌｄ  Ｅｍｉｓｓｉｏｎ  Ｄｉｓｐｌａｙ：ＦＥＤ）及び有機電界発光表示装置（Ｏｒｇａｎｉｃ  Ｌｉｇｈｔ  Ｅｍｉｔｔｉｎｇ  Ｄｉｓｐｌａｙ：ＯＬＥＤ）などの平板表示装置（Ｆｌａｔ  Ｐａｎｅｌ  Ｄｉｓｐｌａｙ：ＦＰＤ）に置き換わってきている。
【０００４】
ＰＤＰ装置は、輝度、コントラスト、残像、視野角などの表示能力が優れていて脚光を浴びている。
【０００５】
ＰＤＰ装置は、電極に印加される直流または交流電圧によって電極間のガスで放電が発生して、それに伴う紫外線の放射によって蛍光体を励起させて発光することによって、画像を表示する。
【０００６】
しかし、前記ＰＤＰ装置は、特性上、電磁波及び近赤外線の放出量が多いという問題点を有している。電磁波及び近赤外線は、人体に有害な影響を及ぼして、無線電話機やリモートコントローラなどの精密器機の誤動作を誘発し得る。また、ヘリウム（Ｈｅ）またはキセノン（Ｘｅ）ガスから出るオレンジ色の光によってＣＲＴ装置に比べて色純度が良くないという問題点がある。
【０００７】
したがって、ＰＤＰ装置は、このような問題点を解消するためにＰＤＰフィルタを採用している。ＰＤＰフィルタは、ディスプレイパネルの前方に設置される。
【０００８】
一方、ディスプレイ装置の開発及び生産動向をよくみると、従来は生産業社ごとに品質改善に注力していたのに比べて、近来は品質水準の向上平準化によって外観デザインがディスプレイ装置の製品競争力を左右する重要要因として浮上してきている。
【０００９】
そのため、ディスプレイ装置生産業社は、デザインの一部として特定模様を製品外観に発光表示して、顧客の視覚的満足度を高めている。典型的には、生産業社の会社名や製品の製品名を製品外観に発光表示して製品購買力を高めている。
【００１０】
そのために、従来にはディスプレイ装置のケースに開口部を形成して、模様表示アセンブリを開口部に装着して、ディスプレイパネルまたはその他の光源から提供される光が前記模様表示アセンブリを通過しながら模様が表示されるようにした。
【００１１】
しかし、このような構成のディスプレイ装置は、開口部を形成して模様表示アセンブリを開口部に装着するために、少なくない費用及び時間が必要となる問題点を有していた。
【００１２】
また、ディスプレイ装置の薄型化を阻害する問題点を有していた。
【００１３】
また、ディスプレイパネルから前記模様表示アセンブリが装着される部位、例えばディスプレイ装置のケースの前面下端部位にまで光を提供するために、ディスプレイ装置内部の構造変更が求められ、正面から発光しなければならない光がケースの前面下端部位にまで提供されることにより、それ自体として光損失を伴う問題点を有していた。
【先行技術文献】
【特許文献】
【００１４】
【特許文献１】（該当なし）
【発明の概要】
【発明が解決しようとする課題】
【００１５】
本発明は、前記の問題点を解決するために案出されたもので、本発明の目的は、発光模様を通じて製品及び製造社に対する顧客の認知度を高めながらも、製品外観の視覚性を高めて顧客の製品購買意欲を向上させることに目的がある。
【００１６】
また、ディスプレイ装置の製造費用、時間及び工数を節減することで、製品生産性を高めることに目的がある。
【００１７】
また、ディスプレイ装置の薄型化を通じて、製品競争力を向上させることに目的がある。
【００１８】
また、既存のディスプレイ装置の内部構造を特別に変更することなしに、前記の視覚的効果を達成するのと同時に、光損失を防止して製品効率を高めることに目的がある。
【課題を解決するための手段】
【００１９】
前記の目的を達成するために、本発明は映像をディスプレイするディスプレイパネルの片側に具備されるディスプレイ装置用光学フィルタであって、第１領域に形成されて第１遮光率を有する第１層を含み、該第１領域とそれ以外の領域を透過する光量差で、前記第１領域を暗画としてまたはそれ以外の領域を明画として特定模様を現わすことを特徴とする、ディスプレイ装置用光学フィルタを提供する。
【００２０】
好ましくは、前記ディスプレイ装置用光学フィルタは、第２領域に形成されて前記第１遮光率より低い第２遮光率を有する第２層３２０を含み、前記第１領域と第２領域を透過する光量差で、前記第１領域を暗画としてまたは前記第２領域を明画として特定模様を現わす。
【００２１】
前記第２層は、前記第２遮光率を有する物質が印刷されたコーティング層や、前記第２遮光率を有する物質を含むフィルムであり得る。
【００２２】
前記第１層及び第２層が、前記第１層及び前記第２層の順序でまたはその逆順で層を形成したり、または同じレベルで形成される。
【００２３】
前記第１層が、前記第１領域にのみ形成される。
【００２４】
前記第２層が、前記第２領域とともに前記第１領域にも形成される。
【００２５】
前記第１層及び第２層が、前記ディスプレイ装置用光学フィルタの端に形成される。
【００２６】
前記第２遮光率は、70〜99％であることが好ましい。
【００２７】
第１層及び第２層の中で少なくとも一方が、色相を有することが好ましい。
【００２８】
前記第１領域及び前記第２領域に形成される第２層を含み、前記第１層と第２層とが層を成して形成された前記第１領域と、前記第２層が形成された前記第２領域を透過する光量差で、前記第１領域を暗画としてまたは前記第２領域を明画として特定模様を現わすことが好ましい。
【００２９】
各々、第２領域乃至第ｎ領域に形成されて、前記第１遮光率より低い第２遮光率乃至第ｎ遮光率を有する第２層乃至第ｎ層を含み構成され、前記第１領域乃至前記第ｎ領域を透過する光量差で特定模様を現わして、ｎ≧２であることが好ましい。
【００３０】
前記第１層は、ブラックセラミック物質がコーティングされたコーティング層や、ブラックセラミック物質を含むフィルムであり得る。
【００３１】
ベース基板、導電膜層及び導電性メッシュ層及び反射防止層の中で一つ以上を含むことが好ましい。
【００３２】
ＰＤＰ用光学フィルタまたはＬＣＤ用光学フィルタであることが好ましい。
【００３３】
また、本発明は、映像をディスプレイするディスプレイパネルと、請求項１乃至１２のいずれか一項のディスプレイ装置用光学フィルタとを含むことを特徴とするディスプレイ装置を提供する。
【発明の効果】
【００３４】
前記構成によると、本発明は発光模様を通じて製品及び製造社に対する顧客の認知度を高めながらも、製品外観の視覚性を高めて顧客の製品購買意欲を向上させることができるという効果がある。
【００３５】
また、ディスプレイ装置の製造費用、時間及び工数を節減することで、製品生産性を高めることができる。
【００３６】
また、ディスプレイ装置の薄型化を通じて、製品競争力を向上することができる。
【００３７】
また、既存のディスプレイ装置の内部構造を特別に変更することなしに、前記の視覚的効果を達成するのと同時に、光損失を防止して製品効率を高めることができる。
【図面の簡単な説明】
【００３８】
【図１】本発明の第１実施例によるディスプレイ装置用光学フィルタを示した断面図である。
【図２】図１のディスプレイ装置用光学フィルタの模様表示層を示した正面図である。
【図３】図２の模様表示層を構成する第１層及び第２層を示した正面図である。
【図４】図３の模様表示層の断面図である。
【図５】本発明の第２実施例による模様表示層を示した拡大断面図である。
【図６】本発明の第３実施例による模様表示層を示した拡大断面図である。
【図７】本発明の第４実施例に他の模様表示層を示した拡大断面図である。
【図８】本発明の第５実施例による模様表示層を示した拡大断面図である。
【図９】本発明の第６実施例による模様表示層を示した拡大断面図である。
【図１０】本発明の第７実施例によるディスプレイ装置用光学フィルタを示した分解断面図である。
【図１１】本発明の第８実施例によるディスプレイ装置用光学フィルタを示した分解断面図である。
【図１２】図１０のディスプレイ装置用光学フィルタを有するディスプレイ装置を示した分解断面図である。
【図１３】図１１のディスプレイ装置用光学フィルタを有するディスプレイ装置を示した分解断面図である。
【発明を実施するための形態】
【００３９】
以下、添付図面を参照して本発明の実施例を詳しく説明する。
【００４０】
図１は、本発明の第１実施例によるディスプレイ装置用光学フィルタを示した断面図である。
【００４１】
図１の光学フィルタは、反射防止層（ＡＲ  ｌａｙｅｒ）１００、ベース基板２００、模様表示層３００、導電性メッシュ層４００及び保護層５００を含む。
【００４２】
反射防止層１００は、視聴者側に配置して光の反射を防止することにより、光反射による表示品質の低下を防止する。反射防止層１００は、色補正などの機能を行なう機能性膜を含むことができる。反射防止層１００は、表面反射防止フィルムの他に、近赤外線遮断フィルム及びネオンライト遮蔽フィルムなどを積層して構成することができる。
【００４３】
ベース基板２００は、第１粘着層１５０によって反射防止層１００と結合される。ベース基板２００には、透明なガラスなどを使用することができる。具体的には、半強化ガラスを使用することが好ましい。それ以外にも、ポリカーボネート（ＰＣ）、ポリエチレンテレフタレート（ＰＥＴ）などの透明高分子樹脂を使用することができる。
【００４４】
模様表示層３００は、第１層３１０及び第２層３２０を含み、模様表示層３００に対しては後述する。
【００４５】
導電性メッシュ層４００は、第２粘着層２５０によってベース基板２００に結合される。導電性メッシュ層４００は、ベースフィルム４１０、接着層４２０及び金属薄膜パターン４３０を含む。
【００４６】
ベースフィルム４１０には、ポリエチレンテレフタレート（ＰＥＴ）樹脂などを使用することができる。
【００４７】
金属薄膜パターン４３０は、ディスプレイパネル１０００から発生する電磁波などを遮断する役割を遂行する。金属薄膜パターン４３０は、接着層４２０によってベースフィルム４１０に結合される。金属薄膜パターン４３０をベースフィルム４１０上に形成させるためには、まず、銅などからなる金属薄膜をベースフィルム４１０に接着させなければならない。そして、接着層４２０上に接着された金属薄膜を蝕刻などの工程を通じてパターニングして金属薄膜パターン４３０を形成する。
【００４８】
保護層５００は、第３粘着層４５０によって導電性メッシュ層４００に結合される。保護層５００の大きさは、導電性メッシュ層４００より若干小さい。したがって、金属薄膜パターン４３０の外郭が露出して、露出した金属薄膜パターン４３０は、電気的に接地される。
【００４９】
光学フィルタは、多様な層を含み構成することができる。図１と後述する図１０及び図１１の光学フィルタの構成も、本発明の一実施例を例示するためだけであって、本発明の構成を限定するためでないことは、もちろんである。光学フィルタは、多様な層を構成層として含むことができ、各構成層の積層関係も多様な変形実施例を有することができる。本発明の模様表示層３００もまた、多様な積層位置を有することができる。
【００５０】
図２は、図１のディスプレイ装置用光学フィルタの模様表示層３００を示した正面図で、図３は、図２の模様表示層３００を構成する第１層３１０及び第２層３２０を分解して示した正面図であり、図４は、図３のＩＩＩ−ＩＩＩ線に沿って切開した模様表示層３００の断面図である。
【００５１】
図示した図２の模様表示層３００は、第１遮光率を有する第１層３１０と第１遮光率より低い第２遮光率を有する第２層３２０からなる。
【００５２】
模様表示層３００は、光学フィルタの端に形成されることが好ましい。
【００５３】
第１層３１０は、第１領域（Ａ１）に形成される。図２で第１領域（Ａ１）は光学フィルタの築領域に該当して、有効画面以外の部分を形成する。有効画面以外の部分に、高い第１遮光率を有する第１層３１０を形成して対比による画面の視感効果を高めることができる。
【００５４】
第１層３１０は、ブラック顔料、特にブラックセラミック物質がコーティングされたコーティング層や、ブラックセラミック物質を含むフィルムであることができる。ブラックセラミック物質には、珪素（Ｓｉ）、Bi2O3、B2O3、ナトリウム（Ｎａ）などのガラス成分に金属成分であるクロム（Ｃｒ）、銅（Ｃｕ）、酸化鉄、酸化マンガンなどが分散したペーストを使用することができる。
【００５５】
ブラックセラミック物質は、ベース基板２００のわく領域に形成されてディスプレイパネル１０００から出射される光を遮断することで、視聴者が見た時に映像が表示されないで黒く表示される部分である。
【００５６】
第２層３２０は、第２領域（Ａ２）に形成される。第２層３２０は、第１遮光率より低い第２遮光率を有する。第２層３２０は、第２遮光率を有する物質が印刷されたコーティング層や第２遮光率を有する物質を含むフィルムであり得る。
【００５７】
第２層もブラックセラミックス物質を含んで成り立つことができる。この場合、第２層のブラックセラミックス物質含有率は、第１層のブラックセラミックス物質含有率より小さい。例えば、ブラックセラミックス物質を溶剤（ｓｏｌｕｔｉｏｎ，ｏｒｇａｎｉｃ  ｖｅｈｉｃｌｅ）に混合し、その混合物で第１層及び第２層を形成するが、第１層は、溶剤約15〜30％を含有した混合物を使用して形成し、第２層は、溶剤約30〜50％を含有した混合物を使用して形成する。
【００５８】
第１遮光率と第２遮光率との差によって、第１領域（Ａ１）と第２領域（Ａ２）とを透過する光量に差が生じて、この光量差によって模様表示層３００は特定模様（‘Λ’模様）を表示することができる。
【００５９】
第２遮光率は、好ましくは70〜99％、すなわち透過率が1〜30％であり、1〜5％の透過率を有することがより好ましい。したがって、普段には模様が明確に認識されないが、ディスプレイ装置（または、ＬＥＤのようなその他の模様表示用専用光源）をオンにすると、第２領域（Ａ２）の発光模様（図２及び図３）では‘Λ’模様が現われて、製品の宣伝や会社のイメージを向上させることができる。
【００６０】
実施例によっては、より多様な模様効果を具現するために、第１層３１０及び第２層３２０のいずれか一つは色相を有することができる。
【００６１】
図２乃至図４では、第２領域（Ａ２）を明画として特定模様（‘Λ’模様）を現わす実施例を示しているが、後述する図９のように第１領域（Ａ１）を暗画として特定模様を現わすこともできる。
【００６２】
図４では、第１層３１０及び第２層３２０の順序で層をなす実施例を図示しているが、それとは反対に第２層３２０及び第１層３１０の順序で層をなす実施例（図６）も可能である。また、第１層３１０及び第２層３２０が同一レベルで形成される実施例（図５）も可能である。
【００６３】
また、図４では第１層３１０及び第２層３２０を隣接するように位置させる実施例を図示しているが、必ずしもこれに限定されない。例えば、第１層３１０と第２層３２０との間に他の層が介在して第１層３１０と第２層３２０とが離隔して位置してもかまわない。
【００６４】
好ましくは、第１層３１０は、第１領域（Ａ１）にだけ形成される。しかし、図示したように、第２層３２０は、第２領域（Ａ２）とともに第１領域（Ａ１）にも形成することができる。
【００６５】
もちろん、図５に図示したように、第２層３２０を第２領域（Ａ２）にのみ形成することもできる。
【００６６】
図５は、本発明の第２実施例による模様表示層３００を示した拡大断面図である。
【００６７】
図示したように、第１層３１０及び第２層３２０が同一レベルで形成される実施例を図示している。この場合、第１層３１０及び第２層３２０の順序で、またはその逆順に形成することもできるが、同時に形成することもできる。
【００６８】
図示した実施例では、第１層３１０は、第１領域（Ａ１）にのみ、第２層３２０は、第２領域（Ａ２）にのみ形成される。
【００６９】
図６は、本発明の第３実施例による模様表示層３００を示した拡大断面図である。
【００７０】
図４と異なり、第２層３２０及び第１層３１０の順序で層を形成する実施例を図示している。例えば、ベース基板２００の背面に第２層３２０を先にコーティングして、その上に第１層３１０をコーティングする方法で、模様表示層３００を形成することができる。
【００７１】
図７は、本発明の第４実施例の他の模様表示層３００を示した拡大断面図である。
【００７２】
実施例のように、第１層３１０及び第２層３２０は、同一な遮光率を有することができる。図示したように、第１層３１０は、第１領域（Ａ１）にのみ形成して、第１層３１０と同じ透過率を有する第２層３２０を第１領域（Ａ１）及び第２領域（Ａ２）に形成する。
【００７３】
この場合、遮光層の厚さの差によって、第１層３１０と第２層３２０とが層をなして形成された第１領域（Ａ１）と、第２層３２０だけが形成された第２領域（Ａ２）とを透過する光量に差が生じて、この光量の差により、第１領域（Ａ１）を暗画としてまたは第２領域（Ａ２）を明画として特定模様を現わすことができる。
【００７４】
図８は、本発明の第５実施例による模様表示層３００を示した拡大断面図である。
【００７５】
実施例によっては、第２層３２０を省略することができる。この場合、第１領域（Ａ１）とそれ以外の領域を透過する光量の差で、第１領域（Ａ１）を暗画としてまたはそれ以外の領域を明画として特定模様を現わすことができる。したがって、第２領域（Ａ２）は、大きな明るさを有するようになる。
【００７６】
第２層３２０が省略されても、光学フィルタの他の構成層によって一定の遮光効果を得ることもできる。
【００７７】
図９は、本発明の第６実施例による模様表示層３００を示した拡大断面図である。
【００７８】
図２乃至図８では、第２領域（Ａ２）を明画として特定模様を現わす実施例を図示したが、図９のように、第１領域（Ａ１）を暗画として特定模様を現わすこともできる。
【００７９】
実施例によっては、本発明の模様表示層は、第１層及び第２層の他にも第３層など、さらに多くの層を有して、より多様な模様を表示することができる。すなわち、それぞれ第２領域乃至第ｎ領域に形成されて第１遮光率より低い第２遮光率乃至第ｎ遮光率を有する第２層乃至第ｎ層を含み、第１領域乃至第ｎ領域（ｎ≧２）を透過する光量の差で特定模様を現わすことができる。
【００８０】
図１０は、本発明の第７実施例によるディスプレイ装置用光学フィルタを示した分解断面図である。（粘着層の図示は、省略した。）
【００８１】
図示した光学フィルタは、反射防止層１００、カラー層６００、ベース基板２００、模様表示層３００、導電性ペースト層７１０、導電膜層８００及び保護層５００を含み構成される。
【００８２】
模様表示層３００と導電膜層８００との間には、シルバーペーストなどの導電性ペースト層７１０が介在する。導電性ペースト層７１０は、電気的に接地されていて、光学フィルタで発生した電気を外部に放出する出口の役割をする。
【００８３】
保護層５００は、導電膜層８００の酸化及び不純物付着などを防止するために、導電膜層８００に結合される。保護層５００は、導電膜層８００より若干小さくて光学フィルタの枠領域の一部を露出させる。したがって、導電性ペースト層７１０が外部に接地することができる空間が準備され得る。
【００８４】
図１１は、本発明の第８実施例によるディスプレイ装置用光学フィルタを示した分解断面図である。（粘着層の図示は、省略した。）
【００８５】
図示した光学フィルタは、反射防止層１００、カラー層６００、導電膜層８００、ベース基板２００及び模様表示層３００を含んで構成される。
【００８６】
導電膜層８００が露出しないので、保護層５００を省略することができる。
【００８７】
但し、光学フィルタの側面は、銅テープなどの導電性テープ７２０によって包まれる。この導電性テープ７２０は、光学フィルタによって発生した電気を外部に放出する出口の役割をする。
【００８８】
図１２は、図１０のディスプレイ装置用光学フィルタを有するディスプレイ装置を示した分解断面図で、図１３は、図１１のディスプレイ装置用光学フィルタを有するディスプレイ装置を示した分解断面図である。
【００８９】
図示したディスプレイ装置は、光学フィルタ及びディスプレイパネル１０００を含み構成される。
【００９０】
ディスプレイパネル１０００は、光学フィルタを基準に視聴者側とは反対側に配置される。
【００９１】
ディスプレイパネル１０００は、外部から電源供給を受けて電気信号を映像信号に変換して映像を表示し、映像を光学フィルタを透過して出射させる。
【００９２】
今までは、説明の便宜上、ＰＤＰ用光学フィルタを対象に説明したが、これに限定されないことは、もちろんである。
【００９３】
例えば、ＬＣＤ用光学フィルタなどの多様なディスプレイ装置用光学フィルタに、本発明の模様表示層３００が適用され得ることは、もちろんである。
【図１】
2009193071.tif 000003
【図２】
2009193071.tif 000004
【図３】
2009193071.tif 000005
【図４】
2009193071.tif 000006
【図５】
2009193071.tif 000007
【図６】
2009193071.tif 000008
【図７】
2009193071.tif 000009
【図８】
2009193071.tif 000010
【図９】
2009193071.tif 000011
【図１０】
2009193071.tif 000012
【図１１】
2009193071.tif 000013
【図１２】
2009193071.tif 000014
【図１３】
2009193071.tif 000015